(57)【要約】【課題】カラオケ装置の動作に関わる制御パラメータの変更を特定の者に限定して許可する。【解決手段】ハードディスク装置１４は、カラオケ装置の動作に関わる制御パラメータを記憶している。ＣＰＵ１０は、リモコン装置１２２または操作部１３１に対して行なわれた操作が予め決められた登録操作と一致するときに、ハードディスク装置１４に記憶された制御パラメータを変更する。【選択図】　　　　図１
2004102169.tif 000002
【特許請求の範囲】
【請求項１】
カラオケ装置の動作に関わる制御パラメータを記憶する記憶手段と、
利用者による操作子への操作を検知する操作検知手段と、
前記操作検知手段によって特定の操作が検知されたときに、前記記憶手段によって記憶された制御パラメータを変更する制御手段と
を具備することを特徴とするカラオケ装置。
【請求項２】
前記操作検知手段は、当該カラオケ装置と無線通信を行なう通信装置からの受信信号に基づいて、当該通信装置の操作子に与えられた操作を検知する
ことを特徴とする請求項１に記載のカラオケ装置。
【発明の詳細な説明】
【０００１】
【発明の属する技術分野】
本発明はカラオケ装置に関する。
【０００２】
【従来の技術】
周知のように、カラオケ装置は、楽曲の演奏音をスピーカから発生させるとともに歌詞などの画像を表示装置に表示させるようになっている。そして、演奏音の生成や画像の表示といった各種の動作に関わる制御パラメータ（例えば演奏音に付加されるエコーの程度や表示画像の明るさなど）を適宜に変更し得るカラオケ装置も提案されるに至っている（例えば特許文献１参照）。
【０００３】
【特許文献１】
特開平９−１７９５７４号公報
【０００４】
【発明が解決しようとする課題】
しかしながら、これらの制御パラメータのなかには、カラオケ店の店員やサービスマンといったカラオケ装置によるサービスを提供する特定の者だけに変更が許可されるべきものもある。それにもかかわらず一般の利用客が制御パラメータを任意に変更できるとすれば、サービスを提供する者の意に反する使用が行なわれるおそれもある。
【０００５】
本発明は以上説明した事情に鑑みてなされたものであり、カラオケ装置の動作に関わる制御パラメータの変更を特定の者に限定して許可することができるカラオケ装置を提供することを目的としている。
【０００６】
【課題を解決するための手段】
上記課題を解決するために、本発明は、カラオケ装置の動作に関わる制御パラメータを記憶する記憶手段と、利用者による操作子への操作を検知する操作検知手段と、前記操作検知手段によって特定の操作内容が検知されたときに、前記記憶手段によって記憶された制御パラメータを変更する制御手段とを具備することを特徴としている。
【０００７】
この構成によれば、利用者による操作内容が特定の操作内容と一致するときに、制御パラメータが変更されるようになっている。したがって、この特定の操作内容を特定の者（例えばカラオケ装置によるサービスを提供する者）のみが知り得るようにすれば、これを知らない者（例えばカラオケ装置によるサービスを享受する者）による制御パラメータの変更を防ぐことができる。
【０００８】
この構成においては、前記操作検知手段が、カラオケ装置と無線通信を行なう通信装置（例えばリモコン装置）からの受信信号に基づいて、当該通信装置の操作子に与えられた操作を検知する構成が望ましい。また、前記制御手段が、利用者による指示に応じて前記特定の操作の内容を変更する構成としてもよい。さらに、前記制御手段が、利用者による制御パラメータ変更の指示が与えられるたびに、カラオケ装置の動作が変更後の制御パラメータに応じた動作となるように制御する構成も望ましい。
【０００９】
【発明の実施の形態】
以下、図面を参照して、本発明の実施形態について説明する。
【００１０】
＜１：実施形態の構成＞
まず、図１を参照して、本発明の実施形態に係るカラオケ装置の構成を説明する。同図に示すように、このカラオケ装置１００は、ＲＡＭ（Ｒａｎｄｏｍ　Ａｃｃｅｓｓ　Ｍｅｍｏｒｙ）１１、リモコン受信部１２１、操作パネル１３、ハードディスク装置（ＨＤＤ）１４、表示装置１５および楽音生成部１６と、これらの各部がバス２０を介して接続されたＣＰＵ１０とを有する。楽音生成部１６にはミキサ１７を介してスピーカ１８が接続されており、ミキサ１７にはさらにマイク１９が接続されている。
【００１１】
ＣＰＵ１０は、ハードディスク装置１４や図示しないＲＯＭ（Ｒｅａｄ　Ｏｎｌｙ　Ｍｅｍｏｒｙ）に記憶されたプログラムを実行することによってカラオケ装置１００の各部を中枢的に制御する。ＲＡＭ１１は、このＣＰＵ１０によって主記憶として使用されるメモリである。
【００１２】
リモコン受信部１２１は、リモコン装置１２２（通信装置）から受信した赤外線信号に応じた電気信号をＣＰＵ１０に出力する。このリモコン装置１２２は、複数の操作ボタンを備えており、利用者によって与えられた操作に応じた赤外線信号を送信する。
【００１３】
ここで、図２はリモコン装置１２２の外観構成を示す平面図である。同図に示すように、リモコン装置１２２は、数字ボタン１２２ａや上下カーソルボタン１２２ｂ、左右カーソルボタン１２２ｃ、確定ボタン１２２ｄといった各種の操作ボタンを備えている。このうち複数の数字ボタン１２２ａは、それぞれに異なる数字が割り当てられたボタンであり、例えば利用者が楽曲番号を入力するときに操作される。また、上下カーソルボタン１２２ｂはカラオケ演奏の音の高さ（キー）を調整するために操作され、左右カーソルボタン１２２ｃはカラオケ演奏のテンポを調整するために操作される。ただし、上下カーソルボタン１２２ｂや左右カーソルボタン１２２ｃは、キーやテンポの調整のためだけでなく、カラオケ装置１００の動作に関わる各種の制御パラメータを変更するときにも利用される。
【００１４】
また、図１に示す操作パネル１３は、操作部１３１と表示パネル１３２とを有する。このうち表示パネル１３２は、利用者によって入力された楽曲番号などを表示する。一方、操作部１３１は、複数の操作ボタンを備えており、利用者によって与えられた操作の内容に応じた信号をＣＰＵ１０に出力する。すなわち、操作部１３１は、上述したリモコン受信部１２１とともに、利用者によって与えられた操作を検知する役割を担っている。
【００１５】
ここで、図３は操作パネル１３の外観構成（カラオケ装置１００の前面部分の構成）を示す図である。同図に示すように、操作パネル１３の操作部１３１は、数字ボタン１３１ａや上下カーソルボタン１３１ｂ、左右カーソルボタン１３１ｃ、確定ボタン１３１ｄなど、リモコン装置１２２と同様の役割を担う各種の操作ボタンを備えている。これらの操作ボタンの一部がカラオケ装置１００の制御パラメータ変更のために兼用される点は、リモコン装置１２２と同様である。
【００１６】
次に、図１に示す表示装置１５は、ＣＲＴ（Ｃａｔｈｏｄｅ　Ｒａｙ　Ｔｕｂｅ）や液晶表示パネルなどを備え、ＣＰＵ１０による制御のもとに各種の画像を表示する。例えば、表示装置１５は、楽曲のカラオケ演奏に際して、歌詞を表す文字を背景画像とともに表示する。
【００１７】
ハードディスク装置１４は、ＣＰＵ１０によって実行されるプログラムのほか、楽曲ファイルや背景画像ファイルを記憶している。このうち楽曲ファイルは楽曲ごとに用意されたファイルであり、楽音生成部１６によって生成されるべき楽音を表すデータや表示装置１５に表示されるべき歌詞を表すデータを含んでいる。一方、背景画像ファイルは、カラオケ演奏に際して歌詞とともに表示装置１５に表示される背景画像を表すデータを含んでいる。
【００１８】
さらに、ハードディスク装置１４は、カラオケ装置１００の動作に関わる各種の制御パラメータを記憶している。ここで、カラオケ装置１００の動作とは、例えば楽曲の演奏音などの各種の音をスピーカ１８から出力させるための動作や、歌詞や背景画像といった各種の画像を表示装置１５に表示させるための動作など、カラオケ装置１００の各部によって実行されるすべての動作を意味する。
【００１９】
詳述すると、ハードディスク装置１４にはパラメータテーブルが記憶されている。図４に示すように、このパラメータテーブルは、カラオケ装置１００の動作に関わる複数の項目の各々について、その項目の制御パラメータが調整され得る範囲または内容と、その項目の制御パラメータについて現に設定されている数値または内容（以下「現在値」という）とが対応付けられたテーブルである。例えば、図４の例では、ある楽曲の演奏終了から次の楽曲の演奏開始までの期間（以下「曲間」という）において出力される楽音の音量を表す項目「ＢＧＭ音量」については、制御パラメータが「０」から「１０」までの数値に調整され得るところ、現在は「３」に設定されていることが判る。また、曲間に表示装置１５に表示されるべき画像の内容を表す項目「曲間ＢＧＶ」については、制御パラメータが「切（表示しない）」、「ＣＭ（宣伝広告用の画像を表示）」、「外部１（外部から入力された画像を表示）」および「外部２」のいずれかに設定され得るところ、現在は「ＣＭ」に設定されていることが判る。同様に、表示パネル１３２による表示の明るさを表す項目「フロントパネル明るさ」については、制御パラメータが「弱」、「１」、「２」および「標準」のいずれかに設定され得るところ、現在は「標準」に設定されていることが判る。
【００２０】
これらの制御パラメータは、カラオケ装置１００によるサービスを享受する一般の客（以下「一般利用客」という）が任意に変更できるわけではなく、予め登録された特定の操作（以下「登録操作」という）が操作部１３１またはリモコン装置１２２に対して行なわれたときに限って変更が許可されるようになっている。例えば、操作部１３１の数字ボタン１３１ａまたはリモコン装置１２２の数字ボタン１２２ａのうち数字「０」に対応するものを４回連続して押下した後に確定ボタン１３１ｄまたは１２２ｄを押下するといった具合に、カラオケ演奏に関する操作としては通常は行なわないような登録操作を行なうことを条件として、制御パラメータの変更が許可される。そして、カラオケ店の店員やサービスマンといったカラオケ装置１００によるサービスを提供する特定の者（以下「カラオケ業者」という）のみがこの登録操作を知り得るようにすることによって、一般利用客が制御パラメータをむやみに変更する事態が回避されるのである。この登録操作の内容は、ハードディスク装置１４に記憶されており、操作部１３１またはリモコン装置１２２への操作に応じて適宜に変更し得るようになっている。もっとも、制御パラメータのなかには、カラオケ演奏の音高やテンポなど、登録操作の入力の有無を問わずに利用者が任意に変更し得る制御パラメータもある。
【００２１】
次に、図１に示す楽音生成部１６は、演奏音を表す楽音信号をＣＰＵ１０による制御のもとに生成する回路であり、例えばＤＳＰ（Ｄｉｇｉｔａｌ　Ｓｉｇｎａｌ　Ｐｒｏｃｅｓｓｏｒ）によって構成される。具体的には、楽音生成部１６は、楽曲ファイル中の演奏音を表すデータをＣＰＵ１０から受信してこのデータに応じた楽音信号を生成する音源１６１と、この楽音信号が表す演奏音にエコーやリバーブといった各種の効果を付与する効果付与回路１６２とを有する。一方、マイク１９は、利用者が発した歌唱音声に応じた信号を出力する。楽音生成部１６から出力された楽音信号とマイク１９から入力された歌唱音声を表す信号とはミキサ１７によって混合された後にスピーカ１８から音として出力される。
【００２２】
＜２：実施形態の動作＞
次に、図５から図７を参照して、本実施形態の動作を説明する。以下では、カラオケ装置１００の制御パラメータを変更するときの動作と、登録操作を変更するときの動作とに分けて説明する。
【００２３】
＜２−１：制御パラメータを変更するときの動作＞
制御パラメータを変更しようとするカラオケ業者は、操作部１３１やリモコン装置１２２を適宜に操作することによって登録操作を行なう。これを契機として、ＣＰＵ１０は、この操作の内容が、ハードディスク装置１４に記憶された登録操作の内容と一致するか否かを判定する（ステップＳａ１）。ここで一致しないと判定すると、ＣＰＵ１０は、制御パラメータを変更するための処理（ステップＳａ２からＳａ７）を行なうことなく図５に示す動作を終了する。
【００２４】
一方、入力操作の内容が登録操作と一致すると判定すると、ＣＰＵ１０は、制御パラメータを変更するためのプログラムをハードディスク装置１４からＲＡＭ１１に読み込んだうえでこれを順次に実行する。具体的には、ＣＰＵ１０はまず、ハードディスク装置１４に記憶されたパラメータテーブルに基づいて、図６に示す設定変更メニューを表示装置１５に表示させる（ステップＳａ２）。同図に示すように、この設定変更メニューは、制御パラメータの内容を表す項目名と、その項目に係る制御パラメータの現在値とを含んでいる。利用者は、この表示を確認しながら操作部１３１の上下カーソルボタン１３１ｂまたはリモコン装置１２２の上下カーソルボタン１２２ｂを適宜に操作することにより、制御パラメータを変更すべき項目を任意に選択することができる。図６に示すように、現に選択されている項目（ここでは「ＢＧＭ音量」）にはカーソルＣＳが重ねられ、項目名および現在の設定内容が反転表示される。また、設定変更メニューは、現に選択されている制御パラメータの調整範囲を表す目盛りＳＣと、目盛りＳＣのうちこの制御パラメータの現在値に対応する位置に配置されたポインタＰＴとを含んでいる。
【００２５】
さらに、カラオケ業者は、操作部１３１の左右カーソルボタン１３１ｃまたはリモコン装置１２２の左右カーソルボタン１２２ｃを適宜に操作することにより、現に選択されている制御パラメータを任意に調整することができる。すなわち、この操作を検知すると（ステップＳａ３；Ｙｅｓ）、ＣＰＵ１０は、ハードディスク装置１４に記憶されたパラメータテーブルのうち現に選択されている制御パラメータを操作に応じた数値または内容に変更する（ステップＳａ４）。例えば、図６に示すように「ＢＧＭ音量」が選択されているときには、左右カーソルボタン１３１ｃまたは１２２ｃが押下されるたびに、ＣＰＵ１０は、この項目に対応する制御パラメータを「０」から「１０」の範囲内で「１」ずつ増減させる。次いでＣＰＵ１０は、設定変更メニューの表示内容をこの操作に応じて適宜に変更する（ステップＳａ５）。すなわち、設定変更メニューのうち、現に選択されている制御パラメータの現在値と、目盛りＳＣに対するポインタＰＴの位置とを変更する。一方、設定変更メニューのうち「標準設定にする」が選択された状態で左右カーソルボタン１３１ｃまたは左右カーソルボタン１２２ｃが押下されると、ＣＰＵ１０は、パラメータテーブルに含まれるすべての制御パラメータを、予め定められた標準値に変更する。
【００２６】
次いでＣＰＵ１０は、変更後の制御パラメータをカラオケ装置１００の各部に対して指示する（ステップＳａ６）。例えば、項目「ＢＧＭ音量」の制御パラメータが変更された場合には変更後の音量をミキサ１７に対して指示し、項目「フロントパネル明るさ」の制御パラメータが変更された場合には変更後の明るさを表示パネル１３２に対して指示するといった具合である。この結果、利用者が制御パラメータを変更するための操作を行なうたびに、この変更がカラオケ装置１００の各部の動作に反映される。
【００２７】
次にＣＰＵ１０は、利用者によって操作部１３１の確定ボタン１３１ｄまたはリモコン装置１２２の確定ボタン１２２ｄが押下されたか否かを判定する（ステップＳａ７）。ここで押下されたと判定すると、ＣＰＵ１０は、図５に示す処理をそのまま終了する。これに対し、確定ボタンが押下されていないと判定すると、ＣＰＵ１０はステップＳａ３に処理を移行し、利用者による指示に応じた制御パラメータの変更処理を繰り返す（ステップＳａ３からＳａ７）。
【００２８】
このように、本実施形態においては、利用者（特にカラオケ業者）によって登録操作が行なわれた場合に限って制御パラメータの変更が許可されるようになっているから、登録操作を知らない一般利用客は制御パラメータを変更することができない。したがって、カラオケ業者の意に反して制御パラメータがむやみに変更される事態を回避することができる。
【００２９】
また、利用者による操作のたびにカラオケ装置１００の動作が変更後の制御パラメータに基づいて制御されるから、実際のカラオケ装置１００の動作の変化を確認しながら制御パラメータを調整することができる。しかも、リモコン装置１２２を操作することによってカラオケ装置１００から離れた位置で制御パラメータを変更することができるから、例えば一般利用客がカラオケを楽しむまさにその位置において特に好適な制御パラメータを選択することができる。
【００３０】
＜２−２：登録操作を変更するときの動作＞
利用者は、登録操作を含む所定の操作を操作部１３１またはリモコン装置１２２に対して行なうことにより、登録操作の内容を適宜に変更することができる。
図７は、利用者によって操作部１３１またはリモコン装置１２２に所定の操作がなされて登録操作を変更すべき旨の指示が与えられたときにＣＰＵ１０が実行する処理の流れを示すフローチャートである。
【００３１】
同図に示すように、ＣＰＵ１０はまず、利用者によって操作部１３１またはリモコン装置１２２に対して何らかの操作がなされるまで待機する（ステップＳｂ１）。そして、操作がなされると、このときの操作の内容がハードディスク装置１４に記憶された登録操作の内容と一致するか否かを判定する（ステップＳｂ２）。ここで一致しないと判定すると、ＣＰＵ１０は、登録操作を変更するための処理（ステップＳｂ３およびＳｂ４）を行なうことなく、図７に示す処理を終了する。これは、登録操作を知らない一般利用客が任意にこれを変更するのを防ぐためである。これに対し、ステップＳｂ３において操作内容が登録操作と一致する場合には、登録操作を知っているカラオケ業者がその変更を指示していることを意味している。この場合、ＣＰＵ１０は、操作部１３１またはリモコン装置１２２に対して操作がなされて新たな登録操作が入力されるまで待機する（ステップＳｂ３）。ここで新たな登録操作が入力されると、ＣＰＵ１０は、ハードディスク装置１４に記憶された登録操作を新たに入力された登録操作に変更したうえで（ステップＳｂ４）、図７に示す処理を終了する。したがって、以後において制御パラメータ変更のための処理（図５）が開始されたときには、操作部１３１またはリモコン装置１２２に対して変更後の新たな登録操作がなされることを条件として、制御パラメータの変更が許可されることとなる。
【００３２】
このように、本実施形態においては登録操作を変更し得るようになっているから、仮に一般利用客が登録操作を知得するに至った場合であっても、これを変更することによって、その後に制御パラメータが一般利用客によって任意に変更されるのを防ぐことができる。また、登録操作を、カラオケ業者が覚えやすい内容に変更することができるから、これらの者が登録操作の内容を忘れて制御パラメータの変更を行なえなくなるといった事態を回避することができる。
【００３３】
＜３：変形例＞
以上示した実施の形態はあくまでも例示であり、この形態に対しては、本発明の趣旨から逸脱しない範囲で様々な変形を加えることができる。変形の内容としては、例えば以下のようなものが考えられる。
【００３４】
＜３−１：変形例１＞
上記実施形態においては、リモコン装置１２２と操作部１３１とが同様の操作ボタンを有する構成を例示したが、両者の操作ボタンの一部または全部が異なっていてもよいことはもちろんである。また、上記実施形態においては、通常のカラオケ演奏のために用いられる操作ボタンを制御パラメータ変更のために兼用する構成を例示したが、専ら制御パラメータ変更のために用いられる操作ボタンをカラオケ演奏のための操作ボタンとは別個に設けた構成としてもよい。もっとも、操作ボタンを兼用する構成によれば、制御パラメータ変更のために専用の操作ボタンを設ける構成と比較して、部品点数の低減を図ることができるという利点がある。
【００３５】
＜３−２：変形例２＞
上記実施形態においては、ひとつのパラメータテーブルに含まれる複数の制御パラメータがそれぞれ個別に調整される構成を例示したが、図８に示すように、制御パラメータの一部または全部が異なる複数のパラメータテーブルを用意しておき、このうちのいずれかが利用者によって選択される構成としてもよい。すなわち、操作部１３１またはリモコン装置１２２に対して登録操作がなされることを条件として複数のパラメータテーブルのいずれかを選択することが許可される一方、選択されたパラメータテーブルに含まれる各制御パラメータに基づいてカラオケ装置１００の各部が制御されるようにしてもよい。例えば、カラオケ装置１００の使用が予想される複数の室空間の各々について、その空間の特性（例えば部屋の広さや壁面の音反射特性などの伝達特性）を考慮して制御パラメータが選定されたパラメータテーブルを用意しておき、カラオケ装置１００が実際に使用される室空間の特性に応じていずれかのパラメータテーブルが選択される構成を採用し得る。こうすれば、カラオケ装置１００をある室空間から別の室空間に移動させたときに、その移動後の室空間に好適な制御パラメータを速やかに選定することができる。
【００３６】
なお、この構成のもとでは、各パラメータテーブルに含まれる制御パラメータは変更できない構成としてもよいし、あるいは上記実施形態と同様に、登録操作を条件として各パラメータテーブルの各制御パラメータを適宜に変更し得る構成としてもよい。また、制御パラメータが適宜に選定されたパラメータテーブルを新たにハードディスク装置１４に記憶させ得る構成としてもよい。
【００３７】
【発明の効果】
以上説明したように、本発明によれば、カラオケ装置の動作に関わる制御パラメータの変更を特定の者に限定して許可することができる。
【図面の簡単な説明】
【図１】本発明の実施形態に係るカラオケ装置の構成を示すブロック図である。
【図２】リモコン装置の外観構成を示す平面図である。
【図３】操作パネルの外観構成を示す平面図である。
【図４】パラメータテーブルの内容を示す図である。
【図５】制御パラメータを変更するときの動作を表すフローチャートである。
【図６】表示装置に表示される設定変更メニューの内容を示す図である。
【図７】登録操作を変更するときの動作を表すフローチャートである。
【図８】本発明の変形例に係るパラメータテーブルの内容を示す図である。
【符号の説明】
１００……カラオケ装置、１０……ＣＰＵ（制御手段）、１１……ＲＡＭ、１２１……リモコン受信部（操作検知手段）、１２２……リモコン装置、１３……操作パネル、１３１……操作部（操作検知手段）、１３２……表示パネル、１４……ハードディスク装置（記憶手段）、１５……表示装置、１６……楽音生成部、１６１……音源、１６２……効果付与回路、１７……ミキサ、１８……スピーカ、１９……マイク、１２２ａ，１２２ｂ，１２２ｃ，１２２ｄ，１３１ａ，１３１ｂ，１３１ｃ，１３１ｄ……操作ボタン（操作子）。
【図１】
2004102169.tif 000003
【図２】
2004102169.tif 000004
【図３】
2004102169.tif 000005
【図４】
2004102169.tif 000006
【図５】
2004102169.tif 000007
【図６】
2004102169.tif 000008
【図７】
2004102169.tif 000009
【図８】
2004102169.tif 000010